(57)【要約】【課題】アウターロータ型のモータの回転軸に羽根車を確実、かつ、正確で部品点数が少ないように取り付けることができる送風機を提供する。【解決手段】アウターロータ型のモータ３０によって回転した羽根車１８が、ケーシング１２の吸込口１４から軸方向に気体を吸い込み外周方向にある吹出口１６へ排出するものであり、固定子３６の外周側にあるカップ状の回転子５４の上面５５に羽根車１８を固定したものである。【選択図】      図１
2005264882.tif 000002
【特許請求の範囲】
【請求項１】
モータの回転軸に連結された羽根車がケーシング内部に配され、前記ケーシングの上面に吸込口が開口し、その側面に吹出口が開口し、
前記ケーシングの下面に前記モータが配され、
前記モータによって回転した前記羽根車が、前記吸込口から軸方向に気体を吸い込み外周方向にある前記吹出口へ排出する送風機において、
前記モータが、固定子の外周側にカップ状の回転子が配されたアウターロータ型モータであり、
前記回転子の上面に前記羽根車が取り付けられている
ことを特徴とする送風機。
【請求項２】
前記モータのモータカバーが前記ケーシングの下面に固定され、
前記モータカバーに前記固定子が固定され、
前記固定子の内周側に軸受けを介して前記回転軸が回転自在に設けられ、
前記回転軸に前記回転子が取り付けられている
ことを特徴とする請求項１記載の送風機。
【請求項３】
前記モータのモータカバーがカップ状であり、前記モータカバーの上面は開口部が開口し、
前記カップ状の回転子の上面が、前記モータカバーの前記開口部から露出し、前記回転子の周壁が前記モータカバーに収納され、
前記モータカバーの周壁と前記回転子の周壁とを近接させている
ことを特徴とする請求項１記載の送風機。
【請求項４】
前記モータのモータカバーがカップ状のカバー本体と、前記カバー本体の開口した上面を閉塞する蓋体よりなり、前記蓋体の中央部に開口部が開口し、
前記カップ状の回転子の上面が、前記蓋体の前記開口部から露出し、前記回転子の周壁が前記カバー本体に収納され、
前記開口部の縁部が前記モータカバー内に折り返されてフランジ部が形成され、
前記フランジ部と前記回転子の周壁とを近接させている
ことを特徴とする請求項１記載の送風機。
【請求項５】
前記ケーシングの下面が開口し、
前記モータカバーの蓋体の前記開口部から露出している回転子が、前記開口した下面から前記ケーシング内部に収納されている
ことを特徴とする請求項３または４記載の送風機。
【発明の詳細な説明】
【技術分野】
【０００１】
本発明は、ターボファン装置やシロッコファン装置等の送風機（ブロワ）に関するものである。
【背景技術】
【０００２】
ボイラーの燃焼用ガスの送風機としては、ターボファン装置やシロッコファン装置が用いられている（例えば、特許文献１参照）。
【０００３】
このような送風機においては、固定子の内周側で回転子が回転するインナーロータ型のモータや、固定子の外周側で回転子が回転するアウターロータ型のモータが用いられている。
【特許文献１】特開平７−００４３８２号公報
【発明の開示】
【発明が解決しようとする課題】
【０００４】
上記送風機において、モータがインナーロータ型であっても、アウターロータ型であっても、モータの回転軸に羽根車を直接取り付ける構造となっている。この取り付け構造は、回転軸先端に雄ネジを切り、その雄ネジ部にワッシャーを螺合してあたりを作り、そのあたりの部分で羽根車を取り付け、ナットで締め付ける構造となっている。
【０００５】
上記の取り付け構造であると、部品点数が増え、コンパクトな設計ができないという問題点がある。
【０００６】
また、回転軸のみで羽根車を支える構造のため、回転軸の強度が低くなり、振動が発生するという問題点がある。
【０００７】
さらに、回転軸の加工の精度が悪い場合には、羽根車の取り付けが歪むという問題点がある。
【０００８】
そこで、本発明は上記問題点に鑑み、アウターロータ型のモータの回転軸に羽根車を確実、かつ、正確で部品点数が少ないように取り付けることができる送風機を提供する。
【課題を解決するための手段】
【０００９】
請求項１に係る発明は、モータの回転軸に連結された羽根車がケーシング内部に配され、前記ケーシングの上面に吸込口が開口し、その側面に吹出口が開口し、前記ケーシングの下面に前記モータが配され、前記モータによって回転した前記羽根車が、前記吸込口から軸方向に気体を吸い込み外周方向にある前記吹出口へ排出する送風機において、前記モータが、固定子の外周側にカップ状の回転子が配されたアウターロータ型モータであり、前記回転子の上面に前記羽根車が取り付けられていることを特徴とする送風機である。
【００１０】
請求項２に係る発明は、前記モータのモータカバーが前記ケーシングの下面に固定され、前記モータカバーに前記固定子が固定され、前記固定子の内周側に軸受けを介して前記回転軸が回転自在に設けられ、前記回転軸に前記回転子が取り付けられていることを特徴とする請求項１記載の送風機である。
【００１１】
請求項３に係る発明は、前記モータのモータカバーがカップ状であり、前記モータカバーの上面は開口部が開口し、前記カップ状の回転子の上面が、前記モータカバーの前記開口部から露出し、前記回転子の周壁が前記モータカバーに収納され、前記モータカバーの周壁と前記回転子の周壁とを近接させていることを特徴とする請求項１記載の送風機である。
【００１２】
請求項４に係る発明は、前記モータのモータカバーがカップ状のカバー本体と、前記カバー本体の開口した上面を閉塞する蓋体よりなり、前記蓋体の中央部に開口部が開口し、前記カップ状の回転子の上面が、前記蓋体の前記開口部から露出し、前記回転子の周壁が前記カバー本体に収納され、前記開口部の縁部が前記モータカバー内に折り返されてフランジ部が形成され、前記フランジ部と前記回転子の周壁とを近接させていることを特徴とする請求項１記載の送風機である。
【００１３】
請求項５に係る発明は、前記ケーシングの下面が開口し、前記モータカバーの前記開口部から露出している回転子が、前記開口した下面から前記ケーシング内部に収納されていることを特徴とする請求項３記載の送風機である。
【発明の効果】
【００１４】
請求項１に係る発明の送風機においては、カップ状の回転子の上面に羽根車が取り付けられているため、羽根車を回転子に対し確実に取り付けることができ、回転軸に対して負担が掛からず、振動が発生しない。
【００１５】
請求項２に係る発明の送風機においては、回転軸が固定子の内周側に軸受けを介して回転自在に取り付けられているため、回転軸が固定子に対して軸振れを起こすことがない。
【００１６】
請求項３に係る発明の送風機においては、回転子の周壁がモータカバーに収納され、モータカバーの周壁と回転子の周壁とを近接した状態となっているため、モータカバー内の密閉性を高めることができ、モータカバーをコンパクトに形成できる。
【００１７】
請求項４に係る発明の送風機においては、モータカバーの蓋体の開口部の縁部が、モータカバー内に折り返されてフランジ部が形成され、前記開口部には、カップ状の回転子の周壁が収納されて近接した状態となっているため、モータカバー内の密閉性を高めることができ、モータカバーをコンパクトに形成できる。
【００１８】
請求項５に係る発明の送風機においては、回転子の上面がケーシング内部に収納された状態となっているため、送風機全体としてコンパクトな大きさとなる。
【発明を実施するための最良の形態】
【００１９】
［第１の実施形態］
以下、本発明の第１の実施形態の送風機１０について図１及び図２に基づいて説明する。
【００２０】
図１は、送風機１０の縦断面図であり、図２は送風機１０の平面図である。
【００２１】
送風機１０のケーシング１２は、蝸牛の殻状のスクロールを形成する形状であり、上面と、側壁とから形成されている。ケーシング１２の上面中央部には、気体を吸い込むための円形の吸込口１４が開口し、その内縁部は折り返されベルマウスを形成している。また、スクロール状に広がっている周壁の端部には、吹出口１６が形成されている。ケーシング１２の下面は開口して、その外縁部は外側に折り返されてフランジ部２８が形成されている。
【００２２】
ケーシング１２の内部には、羽根車１８が回転自在に収納されている。羽根車１８は、リング状のシュラウド２０と、円板状の支持板２２との間に羽根２４が複数枚配されている。支持板２２の中央部は、羽根車１８の内側に突出するように円すい台２６が形成されている。
【００２３】
ケーシング１２の下方には、モータ３０が配されている。このモータ３０は、アウターロータ型のブラシレス直流モータである。
【００２４】
モータ３０のモータカバー３２は、カップ状のカバー本体３３と、蓋体３５とからなる。
【００２５】
カバー本体３３の底面の中心部には、軸方向に筒体３４が突出している。筒体３４の外周部には、固定子３６が嵌め込まれている。固定子３６は、リング状の鋼板を積層した固定子鉄心３８の各ティースに固定子巻線４０が巻回されている。この固定子３６の下方、すなわち、カバー本体３５の底面には、リング状の配線基板４２が取り付けられている。この配線基板４２は、モータ３０を駆動するための駆動回路が設けられ、配線基板４２の端部からは外部の制御装置に接続するためのリード線が配されているブッシング４４が突出している。このブッシング４４は、合成樹脂製またはゴム製であり、カバー本体３３の周面から露出している。
【００２６】
筒体３４の内周側には、軸受け４８を介して回転自在に回転軸５０が軸方向に保持されている。この回転軸５０の上端部には雄ネジ部５２が設けられ、この雄ネジ部５２にカップ状の回転子５４が取り付けられている。すなわち、カップ状の回転子５４の上面５５の中央は上方に膨出してボス５６が形成され、このボス５６の下面側に雌ネジ部が設けられ、前記回転軸５０の雄ネジ部５２と螺合する。また、カップ状の回転子５４の周壁部５９の内周側には、固定子３６と相対向するようにＳ極とＮ極の円弧状の磁石６０が交互に配されている。
【００２７】
また、モータカバー３２の蓋体３５の中央には、円形の開口部４６が形成され、この開口部４６から回転子５４の上面５５が突出している。この開口部４６の内縁部は下方、すなわち、カバー本体３３内部に折り返され、フランジ部６２を形成している。そして、このフランジ部６２と、回転子５４の周壁部５９とが対向するように、かつ、近接させて３ｍｍ程度の隙間が形成されている。
【００２８】
回転子５４の上面５５には、上記で説明した羽根車１８の支持板２２が取り付けられる。すなわち、回転子５４のボス５６に、支持板２２の円すい台２６が嵌合するように嵌め込まれ、ネジ６４によって固定される。なお、回転子５４の上面５５と、羽根車１８の支持板２２の下面との間には、防振用のゴムワッシャー７０が設けられている。
【００２９】
また、カバー本体３３の上面の外周部にもフランジ部６６が形成され、ケーシング１２のフランジ部２８と合わされて、ネジ６８によって固定されている。モータカバー３２とケーシング１２とが固定される。
【００３０】
上記構成の送風機１０においては、外部からの制御信号によって回転子５４が回転すると、それと共に羽根車１８が回転し、吸込口１４から気体が吸い込まれ、吹出口１６から排出される。
【００３１】
この場合に、回転子５４の上面５５に羽根車１８を取り付ける構造であるため、取り付けるための部品点数を少なくすることができ、また、回転軸５０に直接負荷がかからないため、回転軸５０の強度を向上させることができる。
【００３２】
羽根車１８をモータ３０に取り付けた状態で、回転のバランスを修正することができる。
【００３３】
回転子５４の上面５５が、ケーシング１２の下方に収納された状態となっているため、送風機１０の軸方向における長さを小さくすることができ、送風機１０としてコンパクトに設計を行なうことができる。
【００３４】
モータカバー３２の蓋体３５の開口部４６の縁部を折り返してフランジ部６２を形成させ、回転子５４と近接されていることにより、モータカバー３２内部をケーシング１２に対し密閉した状態とすることができ、給湯器の送風機として使用する場合に防爆性を高めることができる。すなわち、モータカバー３２内部に配線基板４２を設けても、その密閉性により、防爆を行なうことができる。
【００３５】
［第２の実施形態］
以下、本発明の第２の実施形態の送風機１０について図３に基づいて説明する。
【００３６】
本実施形態と第１の実施形態の異なる点は、モータカバー３２の構造にある。本実施形態のモータカバー３２では、蓋体３５を有さず、カバー本体３３の周面３３ａが回転子５４の周壁部５９とが対向するように、かつ、近接させて３ｍｍ程度の隙間が形成されている。
【００３７】
本実施形態であっても、モータカバー３２内部をケーシング１２に対し密閉した状態とすることができ、給湯器の送風機として使用する場合に防爆性を高めることができる。すなわち、モータカバー３２内部に配線基板４２を設けても、その密閉性により、防爆を行なうことができる。
【産業上の利用可能性】
【００３８】
本発明は、給湯器の送風機、住宅等の床下の換気扇用、洗濯乾燥機の送風機として好適である。
【図面の簡単な説明】
【００３９】
【図１】本発明の第１の実施形態を示す送風機の縦断面図である。
【図２】同じく送風機の平面図である。
【図３】本発明の第２の実施形態を示す送風機の縦断面図である。
【符号の説明】
【００４０】
１０  送風機
１２  ケーシング
１４  吸込口
１６  吹出口
１８  羽根車
３０  モータ
３２  モータカバー
３６  固定子
４２  配線基板
４４  ブッシング
４６  開口部
４８  軸受け
５０  回転軸
５４  回転子
５５  回転子の上面
５９  回転子の周壁部
６２  フランジ部
【図１】
2005264882.tif 000003
【図２】
2005264882.tif 000004
【図３】
2005264882.tif 000005